(57)【要約】      （修正有）【課題】施工現場において床面の段差コンクリートを受け止める床段差板を、効率よく建築構造物に取り付けることができる段差コンクリート受け具を提供する。【解決手段】段差コンクリート受け具１５は床段差板１６と結合するための床段差板支持部１５ｒと、梁材１１と結合するための基部１５ｂを備える。段差コンクリート受け具１５の床段差板支持部１５ｒは上下方向に延び、スリット１５ｓを有する。スリット１５ｓは床段差板支持部１５ｒの上端から下方へ向かって延びる上向きの切れ込みであり、上方から差し込まれる床段差板１６を受け入れる。スリット１５ｓの幅は床段差板１６１枚分の厚みに対応し、床段差板１６を支持する。段差コンクリート受け具１５は梁材１１に沿って所定間隔に複数配置されることから、複数枚の床段差板１６を梁材１１に沿って継ぎ足すように整然と配列することが可能である。【選択図】図１
0003198067.tif 000002
【実用新案登録請求の範囲】
【請求項１】
梁材および板材の上に面状に打設されて高床面および低床面を連続して形成する現場打ちコンクリートに埋設され、前記高床面と前記低床面の境界に配置されて前記高床面の現場打ちコンクリートを受け止める床段差板を支持する受け具であって、
前記床段差板と結合するための床段差板支持部と、
前記梁材と結合するための基部とを備える、段差コンクリート受け具。
【請求項２】
前記床段差板支持部は前記床段差板が差し込まれるスリットを有する、請求項１に記載の段差コンクリート受け具。
【請求項３】
前記床段差板支持部は上下方向に延び、
前記基部は前記床段差板支持部から前記梁材に向かって水平方向に延びる、請求項１または２に記載の段差コンクリート受け具。
【請求項４】
前記基部の一端は前記床段差板支持部の下端と結合し、前記基部の他端は前記床段差板支持部の下端から遠い位置で前記梁材と結合する、請求項３に記載の段差コンクリート受け具。
【請求項５】
前記基部は所定形状の平坦な板部材の一端領域であり、前記床段差板支持部は前記板部材の他端領域である、請求項３または４に記載の段差コンクリート受け具。
【請求項６】
前記所定形状はＬ字形状である、請求項５に記載の段差コンクリート受け具。
【請求項７】
前記基部の下縁には前記梁材と係合する段部が形成される、請求項５または６に記載の段差コンクリート受け具。
【請求項８】
前記基部の他端部は前記基部の一端部の下縁よりも下方に突出して前記梁材と結合する板状突部を含む、請求項５または６に記載の段差コンクリート受け具。
【考案の詳細な説明】
【技術分野】
【０００１】
本考案は、建築構造物のコンクリート製床面に段差を形成する技術に関する。
【背景技術】
【０００２】
鉄骨造あるいは鉄筋コンクリート造の建築構造物において、特開２００６−３２８９５１号公報（特許文献１）に記載されるように建築構造物の床に高い箇所と低い箇所を連続して設け、両箇所の間に段差を形成することが一般に行われる。
【先行技術文献】
【特許文献】
【０００３】
【特許文献１】特開２００６−３２８９５１号公報
【考案の概要】
【考案が解決しようとする課題】
【０００４】
現場打ちコンクリートで建築構造物の高床面と低床面を連続して施工する際、打設したばかりの生コンクリートが高床面から低床面へ流れ出さないよう、高床面と低床面の境界になる段差面に予め型枠あるいは板材を当てておく必要がある。これらの型枠あるいは板材は打設直後から現場打ちコンクリートが硬化するまでの間に高床面の生コンクリート（以下、段差コンクリートという）の圧力を受けるため、建築構造物に強固に固定されなければならない。また高床面のコンクリートと低床面のコンクリートとの一体性を確保するために、これらの型枠あるいは板材は生コンクリートで覆われる前に梁材および板材から上方に浮いた状態で支持される必要がある。
【０００５】
従来の施工では施工現場に合わせて、丸鋼等の鉄筋を適切な長さにカットして建築構造物に溶接で固定する等していたが、かかる方法では精度が悪く工数がかかり時間を要するという問題がある。
【０００６】
本考案は上述の実情に鑑み、施工現場において段差コンクリートを受け止める板材を従来よりも効率よく正確に建築構造物に取り付けることができる段差コンクリート受け具を提供することを目的とする。
【課題を解決するための手段】
【０００７】
この目的のため本考案による段差コンクリート受け具は、梁材および板材の上に面状に打設されて高床面および低床面を連続して形成する現場打ちコンクリートに埋設され、高床面と低床面の境界に配置されて高床面の現場打ちコンクリートを受け止める床段差板を支持する受け具であって、床段差板と結合するための床段差板支持部と、記梁材と結合するための基部とを備える。
【０００８】
かかる本考案によれば、作業者は施工現場において段差コンクリートを受け止める床段差板を固定するために、丸鋼等の鉄筋を適切な長さにカットして床段差板を建築構造物に取付固定する必要がない。したがって作業者は従来のような工数を要さず、短時間で建築構造物に取り付けることができる。なお板材は、梁材に取付固定されるデッキプレートのように本設構造材であるが、型枠材やその他の仮設構造材であってもよい。段差コンクリート受け具と梁材の結合は特に限定されないが、作業時間および強度の点から溶接が好ましい。
【０００９】
段差コンクリート受け具と床段差板の結合は特に限定されないが、本考案の一実施形態として床段差板支持部は床段差板が差し込まれるスリットを有する。かかる実施形態によれば、作業者は床段差板をスリットに差し込むことによって、床段差板を容易に固定することができる。しかも床段差板を梁材に沿って整然と配列することができ、作業性が益々向上する。本考案の他の実施形態として床段差板は係合等によって背後（低床面側）から床段差板支持部に支持されてもよい。なおスリットの長さは特に限定されないが、床段差板の上下方向寸法が大きい場合、スリットも長くするとよい。
【００１０】
本考案の好ましい実施形態として床段差板支持部は上下方向に延び、基部は床段差板支持部から梁材に向かって水平方向に延びる。かかる実施形態によれば、梁材と結合する基部の結合箇所を調整することにより梁材から床段差板支持部までの水平距離を適宜調整することができる。本考案の他の実施形態として、基部は床段差板支持部から梁材に向かって下方に延びてもよい。
【００１１】
本考案のさらに好ましい実施形態として基部の一端は床段差板支持部の下端と結合し、基部の他端は床段差板支持部の下端から遠い位置で梁材と結合する。かかる実施形態によれば基部の他端は床段差板支持部の下端から遠い位置で梁材と結合することから、床段差板を段差コンクリート受け具で梁材に片持ち支持することができる。
【００１２】
本考案の一実施形態として基部は所定形状の平坦な板部材の一端領域であり、床段差板支持部は板部材の他端領域である。かかる実施形態によれば鋼板を所定形状の板部材に切り抜くことによって段差コンクリート受け具を低コストで製造することができる。
【００１３】
本考案の好ましい実施形態として、板部材はＬ字形状である。かかる実施形態によれば打ち抜き加工によってＬ字形状の板部材を大量かつ低コストで製造することができる。本考案の他の実施形態として、段差コンクリート受け具はＴ字形状の板部材、あるいは他の形状の板部材であってもよい。
【００１４】
本考案のさらに好ましい実施形態として基部の下縁には梁材と係合する段部が形成される。かかる実施形態によれば各段差コンクリート受け具の段部を梁材に突き当てることにより、段差コンクリート受け具を効率よく位置決めすることができる。したがって段差コンクリート受け具の位置決めに特段の工数を要することなく、段差コンクリート受け具を梁材に結合する作業にすぐに取り掛かることができる。
【００１５】
本考案の一実施形態として基部の他端部は、基部の一端部の下縁よりも下方に突出して梁材と結合する板状突部を含む。かかる実施形態によれば基部の他端部は、基部の一端部の下縁よりも突出して梁材と結合する板状突部を含むことから、基部を梁材よりも上方に配置することができる。したがって梁材よりも上方に突出する障害物を含む建築構造物において、かかる障害物を迂回してコンクリート受け具を梁材に結合することができる。
【考案の効果】
【００１６】
このように本考案によれば工数を要さず、短時間で、正確に段差コンクリートを受け止める床段差板を建築構造物に取付固定することができる。したがって従来よりもコスト上有利であるばかりでなく、施工性が向上する。
【図面の簡単な説明】
【００１７】
【図１】本考案の段差コンクリート受け具が用いられる建築構造物を示す断面図である。
【図２】本考案の段差コンクリート受け具が用いられる建築構造物を示す平面図である。
【図３】本考案の一実施形態になる段差コンクリート受け具を示す正面図である。
【図４】本考案の変形例になる段差コンクリート受け具を示す正面図である。
【図５】本考案の他の実施形態になる段差コンクリート受け具を示す正面図である。
【図６】他の実施形態が用いられる建築構造物を示す断面図である。
【考案を実施するための形態】
【００１８】
以下、本考案の実施の形態を、図面に基づき詳細に説明する。図１は本考案の段差コンクリート受け具が用いられる建築構造物を示す断面図である。図２は本考案の段差コンクリート受け具が用いられる建築構造物を示す平面図であり、図１に対応する。図３は本考案の一実施形態になる段差コンクリート受け具を示す正面図であり、図１から段差コンクリート受け具のみを取り出し、拡大して示す。
【００１９】
まず建築構造物につき説明すると、建築構造物１０は多層階構造であって、各階のフロアには梁材１１と、梁材１１に掛け渡されるデッキプレート１２ａ，１２ｂが設けられる。梁材１１はＨ型鋼であり、上端フランジ１１ｍ、下端フランジ１１ｎ、およびウェブ１１ｗを有する。ウェブ１１ｗにはブラケット１４が取り付けられる。ブラケット１４はデッキプレート１２ｂの端部を支持する。また上端フランジ１１ｍはデッキプレート１２ａの端部を支持する。デッキプレート１２ａはデッキプレート１２ｂよりも高い位置に設けられる。デッキプレート１２ａ，１２ｂは板材の一種であり、図２に示すようにフロアに隙間なく敷設される。
【００２０】
梁材１１の上端フランジ１１ｍには、段差コンクリート受け具１５が、梁材１１の長手方向に所定の間隔を空けて複数取付固定される。段差コンクリート受け具１５は床段差板１６と結合するための床段差板支持部１５ｒと、梁材１１と結合するための基部１５ｂを備える。
【００２１】
段差コンクリート受け具１５の床段差板支持部１５ｒは上下方向に延び、スリット１５ｓを有する。スリット１５ｓは床段差板支持部１５ｒの上端から下方へ向かって延びる上向きの切れ込みであり、上方から差し込まれる床段差板１６を受け入れる。スリット１５ｓの幅は床段差板１６１枚分の厚みに対応し、床段差板１６を支持する。段差コンクリート受け具１５は梁材１１に沿って所定間隔に複数配置されることから、複数枚の床段差板１６を梁材１１に沿って継ぎ足すように整然と配列することが可能である。
【００２２】
床段差板支持部１５ｒの基部１５ｂは床段差板支持部１５ｒから水平方向に延びる。具体的には基部１５ｂの一端が床段差板支持部１５ｒの下端と結合し、床段差板支持部１５ｒの他端が床段差板支持部１５ｒの下端から遠い位置で上端フランジ１１ｍと結合する。基部１５ｂは上端フランジ１１ｍの幅方向に水平に延びており、基部１５ｂの他端部が上端フランジ１１ｍの上面と重なっている。
【００２３】
基部１５ｂの下縁には段部１５ｃが形成される。段部１５ｃにより基部１５ｂの他端部の下縁は切り欠かれる。基部１５ｂの上下方向寸法は、段部１５ｃよりも他端側で小さく、一端側で大きくされる。段部１５ｃが梁材１１の上端フランジ１１ｍの縁部に突き当てられるように係合した状態で、基部１５ｂの他端部は溶接ｗによって梁材１１の上端フランジ１１ｍの上面に取付固定される。
【００２４】
これにより施工現場において作業者は、各段差コンクリート受け具１５の位置決めに特段の工数を要することなく、各段差コンクリート受け具１５の段部１５ｃを梁材１１に突き当てて溶接することにより、複数の段差コンクリート受け具１５を効率良く梁材１１に結合することができる。
【００２５】
図１および図２を対比して段差コンクリート受け具１５は梁材１１の長手方向に薄い平坦な板部材であり、鋼板から所定形状に切り抜かれてなる。具体的には図３に示すように段差コンクリート受け具１５はＬ字形状であり、基部１５ｂはＬ字形状板部材の一端領域であり、床段差板支持部１５ｒはＬ字形状板部材の他端領域である。
【００２６】
図１に示すように床段差板１６は、直下のデッキプレート１２ｂから上方へ浮いた状態で支持され、梁材１１からも離隔する。このため隣り合う段差コンクリート受け具１５，１５間と、床段差板１６およびデッキプレート１２ｂ間に、現場打ちコンクリートが通過するための開口が設けられる。
【００２７】
施工現場において、梁材１１およびデッキプレート１２ａ，１２ｂの上には、仮想線で示すように現場打ちコンクリート１３が面状に打設される。現場打ちコンクリート１３の天端は高床面１３ａおよび低床面１３ｂを含む。高床面１３ａはデッキプレート１２ａと、梁材１１と、デッキプレート１２ｂ端部の直上に位置する。低床面１３ｂは端部を除いたデッキプレート１２ｂの直上に位置する。
【００２８】
互いに連続する高床面１３ａと低床面１３ｂの境界には床段差板１６が上述したように予め配置される。床段差板１６は、例えばエキスパンドメタルであって、高床面１３ａと低床面１３ｂの境界に配置されて高床面１３ａの現場打ちコンクリート１３、つまり未硬化の生コンクリート、を受け止める。段差コンクリート受け具１５は図１に示すように、床段差板支持部１５ｒのうち低床面１３ｂ側の一部を除いて大部分が現場打ちコンクリート１３に埋設される。
【００２９】
現場打ちコンクリート１３が硬化すると次の施工工程で床段差板１６の上にＡＬＣ板（軽量気泡コンクリート板）からなる壁材２１が立設される。また壁材２１の壁面と面一になるよう、段差コンクリート受け具１５の露出部および床段差板１６はモルタル２２で塗り込められる。
【００３０】
ところで本実施形態の段差コンクリート受け具１５は、床段差板１６と結合するための床段差板支持部１５ｒと、梁材１１と結合するための基部１５ｂを備えることから、作業者は施工現場において段差コンクリートを受け止める床段差板１６を固定するために、丸鋼等の鉄筋を適宜カットして床段差板を建築構造物に取付固定する必要がない。したがって作業者は従来のような工数を要さず、短時間で正確に床段差板を建築構造物に取付固定することができる。
【００３１】
また本実施形態によれば床段差板支持部１５ｒは床段差板１６が差し込まれるスリット１５ｓを有することから、作業者は床段差板１６をスリット１５ｓに差し込むことによって、床段差板１６を梁材１１に沿って容易に配置することができる。
【００３２】
また本実施形態によれば床段差板支持部１５ｒは上下方向に延び、基部１５ｂは床段差板支持部１５ｒから梁材１１に向かって水平方向に延びることから、梁材１１と結合する基部１５ｂの結合箇所を調整することにより梁材１１から床段差板支持部１５ｒまでの水平距離を適宜調整することができる。
【００３３】
また本実施形態によれば基部１５ｂの一端は床段差板支持部１５ｒの下端と結合し、基部１５ｂの他端は床段差板支持部１５ｒの下端から遠い位置で梁材１１と結合することから、床段差板１６を段差コンクリート受け具１５で片持ち支持することができる。
【００３４】
また本実施形態によれば基部１５ｂは所定形状の板部材の一端領域であり、床段差板支持部１５ｒは所定形状の板部材の他端領域であることから、鋼板を所定形状の板部材に切り抜くことによって段差コンクリート受け具１５を低コストで製造することができる。特に段差コンクリート受け具１５はＬ字形状であることから、打ち抜き加工によってＬ字形状の板部材を大量かつ低コストで製造することができる。
【００３５】
次に本考案の変形例を説明する。図４は本考案の変形例を示す正面図である。この変形例につき、前述した実施形態と共通する構成については同一の符号を付して説明を省略し、異なる構成について以下に説明する。この変形例では床段差板支持部１５ｒの上下方向寸法を図３に示す実施形態よりも短くする。かかる変形例によれば、現場打ちコンクリート１３のコンクリート厚みが小さい場合や、上下方向寸法が小さな床段差板１６に対応可能である。
【００３６】
なお図３に示す実施形態と比較して図４に示す変形例ではスリット１５ｓの下端が低く、基部１５ｂと略同じ高さ位置にある。かかる変形例によれば低床面１３ｂからデッキプレート１２ｂまでのコンクリート厚みが小さな施工現場にも対応することができる。
【００３７】
次に本考案の他の実施形態になる段差コンクリート受け具を説明する。図５は他の実施形態を示す正面図であり、図６は他の実施形態を用いる建築構造物を示す断面図である。他の実施形態につき、前述した実施形態と共通する構成については同一の符号を付して説明を省略し、異なる構成について以下に説明する。他の実施形態では、基部１５ｂの下縁に段部１５ｃを設けるのではなく、板状突部１５ｄを形成する。
【００３８】
まず図６に示す建築構造物２０につき概略説明すると、梁材１１にはアングル１７が取付固定される。アングル１７は梁材１１に沿って延び、アングル１７の下縁はデッキプレート１２ｂの端部と重なるように支持する。またアングル１７の上縁は、アングル１７の下縁から立ち上がり、上端フランジ１１ｍの上面よりも上方へ突出する。
【００３９】
板状突部１５ｄは図５に示すように基部１５ｂの他端部から下方へ突出する。このため基部１５ｂの下縁を一端部と他端部で比較すると、板状突部１５ｄを含む基部１５ｂの他端部が、基部１５ｂの一端部よりも下方へ突出する。
【００４０】
板状突部１５ｄは図６に示すように溶接ｗによって梁材１１の上端フランジ１１ｍの上面に取付固定される。他端部で梁材１１と結合する基部１５ｂは、梁材１１から遠ざかるように延びてアングル１７の上縁を跨ぐ。そして基部１５ｂの一端部と結合する床段差板支持部１５ｒは、デッキプレート１２ｂの上方に位置し、床段差板１６をデッキプレート１２ｂから離隔して支持する。
【００４１】
施工現場において、図１に示す建築構造物１０と同様に、図２に示す建築構造物２０にも現場打ちコンクリート１３が打設され、高床面１３ａと低床面１３ｂが同時に形成される。
【００４２】
図５および図６に示す実施形態によれば基部１５ｂの他端部は、基部１５ｂの一端部の下縁よりも突出して梁材１１と結合する板状突部１５ｄを含むことから、梁材１１よりも上方に突出する部材を迂回して床段差板１６を梁材１１に片持ち支持することができる。
【００４３】
以上、図面を参照してこの考案の実施の形態を説明したが、この考案は、図示した実施の形態のものに限定されない。図示した実施の形態に対して、この考案と同一の範囲内において、あるいは均等の範囲内において、種々の修正や変形を加えることが可能である。
【産業上の利用可能性】
【００４４】
この考案になる段差コンクリート受け具は、コンクリート建築において有利に利用される。
【符号の説明】
【００４５】
１０  建築構造物、      １１  梁材、      １１ｍ  上端フランジ、      
１１ｎ  下端フランジ、      １１ｗ  ウェブ、      
１２ａ，１２ｂ  デッキプレート、      １３  コンクリート、      
１３  ブラケット、      １３ａ  高床面、      、１３ｂ  低床面、      
１５  段差コンクリート受け具、      １５ｂ  基部、      １５ｃ  段部、      
１５ｄ  板状突部、      １５ｒ  床段差板支持部、      
１５ｓ  スリット、      １６  床段差板、      １７  アングル、      
２１  壁材、      ２２  モルタル、      ｗ  溶接。
【図１】
0003198067.tif 000003
【図２】
0003198067.tif 000004
【図３】
0003198067.tif 000005
【図４】
0003198067.tif 000006
【図５】
0003198067.tif 000007
【図６】
0003198067.tif 000008